(57)【要約】【課題】全体の薄型化に支障を来すことなく、ユーザによるケーブルの接続／切離を容易に行うことができる薄型テレビを提供する【解決手段】前面に表示パネルを有する薄型テレビ本体の後面に、ユーザによるケーブルＣの接続／切離頻度が多いと予測される第１の端子群Ａを縦一列で、且つ横方向への接続／切離を可能に並置し、ユーザによるケーブルＣの接続／切離頻度が少ないと予測される第２の端子群Ｂを横一列で、且つ上下方向への接続／切離を可能に並置し、全体の薄型化と、ユーザによるケーブルＣの接続／切離容易性とを図ることができるようにした。【選択図】図２
2008085660.tif 000002
【特許請求の範囲】
【請求項１】
前面に表示パネルを有する薄型テレビ本体の後面に、ケーブルが接続／切離される複数の端子を設けてある薄型テレビにおいて、第１の端子群を縦一列に、且つ横方向への接続／切離を可能に並置してあり、第２の端子群を横一列に、且つ上下方向への接続／切離を可能に並置してあることを特徴とする薄型テレビ。
【請求項２】
前記第１の端子群は、前記ケーブルの接続／切離頻度が多いと予測される複数の端子を有し、前記第２の端子群は、前記ケーブルの接続／切離頻度が少ないと予測される複数の端子を有する請求項２記載の薄型テレビ。
【請求項３】
前記第１の端子群は、Ｄ端子と、三系統のＲＣＡピン−ビデオ入力端子と、Ｓ端子とを有し、前記第２の端子群は、アナログチューナ端子と、デジタルチューナ端子と、ＤＶＩ端子と、ＨＤＭＩ端子と、ｉ−ＬＩＮＫ端子とを有する請求項１又は２記載の薄型テレビ。
【請求項４】
前記Ｄ端子と、三系統のＲＣＡピン−ビデオ入力端子と、Ｓ端子とは、この順序で上側から並置してある請求項３記載の薄型テレビ。
【請求項５】
前記第１の端子群は、ｉ−ＬＩＮＫ端子と、ＨＤＭＩ端子と、ＤＶＩ端子と、デジタルチューナ端子とを有し、前記第２の端子は、アナログチューナ端子と、Ｄ端子と、三系統のＲＣＡピン−ビデオ入力端子と、Ｓ端子とを有する請求項１又は２記載の薄型テレビ。
【請求項６】
前記ｉ−ＬＩＮＫ端子と、ＨＤＭＩ端子と、ＤＶＩ端子と、デジタルチューナ端子とは、この順序で上側から並置してある請求項５記載の薄型テレビ。
【請求項７】
前記第１の端子群は、一系統のＲＣＡピン−ビデオ入力端子と、Ｓ端子と、ｉ−ＬＩＮＫ端子と、ＨＤＭＩ端子と、ＤＶＩ端子とを有し、前記第２の端子群は、デジタルチューナ端子と、アナログチューナ端子と、Ｄ端子と、二系統のＲＣＡピン−ビデオ入力端子とを有する請求項１又は２記載の薄型テレビ。
【請求項８】
前記一系統のＲＣＡピン−ビデオ入力端子と、Ｓ端子と、ｉ−ＬＩＮＫ端子と、ＨＤＭＩ端子と、ＤＶＩ端子とは、この順序で上側から並置してある請求項７記載の薄型テレビ。
【請求項９】
前記第１の端子群は最上位置に配されるＵＳＢ端子を有する請求項６記載の薄型テレビ。
【発明の詳細な説明】
【技術分野】
【０００１】
本発明は薄型液晶テレビ、薄型プラズマテレビ等の薄型テレビに関する。
【背景技術】
【０００２】
映像を表示する表示パネルを前面に有し、前後の厚さを比較的薄くしてある薄型液晶テレビは、前面視略矩形をなす薄型液晶テレビ本体の後面に、該薄型液晶テレビ本体に収容されている電子部品に接続されている複数の端子が配設されている。
【０００３】
近年、液晶表示パネル、プラズマ表示パネル等の薄型表示パネルを搭載した薄型テレビが普及している。また、放送局の放送方式はデジタル化が進展し、地上アナログ放送とは別にＢＳデジタル放送、及び地上デジタル放送が開始されている。そして、薄型テレビに接続される外部機器もデジタル化が進展し、ＤＶＤレコーダ、及び高画質ＨＤＤ録画・再生装置の普及により、ケーブルが接続される薄型テレビの端子は、ＲＣＡピン−ビデオ入力端子、Ｓ端子、Ｄ端子、コンポーネント端子に加え、高画質に対応したＨＤＭＩ端子及びｉ−ＬＩＮＫ端子、パーソナルコンピュータと接続するＤＶＩ端子及び記録メディア（ＳＤ、ＰＣカード）端子、デジタル放送を双方向通信視聴するためのＢ−ＣＡＳカード、電話回線端子及びＬＡＮ端子などのユーザが接続／切離する入出力用の多数の端子を薄型テレビ本体の後面に配することが必要になっている。
【０００４】
また、外部機器のデジタル化が進展することにより、外部機器に接続されているケーブルのユーザによる接続／切離頻度が増加するため、ユーザによるケーブルの接続／切離を簡易に行わせることができるように構成することが要望されている。この場合、前記ケーブルを薄型テレビ本体の後方から前後方向へ接続／切離することができるように構成するか、又は、薄型テレビ本体の側方から横方向へ接続／切離することができるように構成することが考えられる。
【０００５】
ところが、ケーブルを薄型テレビ本体の後方から前後方向へ接続／切離することができるように構成した場合、薄型テレビ本体側の端子よりも後方にケーブルが配線されるため、薄型テレビを壁寄せするのに支障を来すことになる。因って、薄型テレビ本体の側方から横方向への接続／切離を可能に縦に端子を並置し、ケーブルを薄型テレビ本体の側方から横方向へ接続／切離することができるように構成するのが好ましい。
【０００６】
しかし、ＲＣＡピン−ビデオ入力端子は一般に三系統あり、また、一つのＲＣＡピン−ビデオ入力端子は、映像用のピンと、左右音声用の二つのピンとが並設された構成になっており、比較的幅広に形成されているため、この三系統のＲＣＡピン−ビデオ入力端子を含む全ての端子を薄型テレビの高さ以内に納めることができない。因って、特許文献１に記載されているように入出力用の端子を前後に積み重ねて縦に並置し、縦方向の並置長さを短くすることにより全ての入出力用の端子を薄型テレビの高さ以内に納めることが考えられる。
【特許文献１】特開２００１−１３５２０２号公報
【発明の開示】
【発明が解決しようとする課題】
【０００７】
ところが、薄型テレビ本体の後面に入出力用の端子が前後に積み重ねられている薄型テレビにあっては、端子の積み重ねに対応して薄型テレビの前後の厚さが厚くなり、全体の薄型化に支障を来すことになる。
【０００８】
本発明は斯かる事情に鑑みてなされたものであり、主たる目的は薄型テレビ本体の後面に設けられる端子を、第１の端子群と第２の端子群とに分け、第１の端子群を縦一列に、且つ横方向への接続／切離を可能に並置し、第２の端子群を横一列に、且つ上下方向への接続／切離を可能に並置することにより、薄型テレビの薄型化に支障を来すことなく、ユーザによるケーブルの接続／切離を容易に行うことができる薄型テレビを提供することにある。
【０００９】
また、他の目的はケーブルの接続／切離頻度が多いと予測される複数の端子を縦一列に並置し、ケーブルの接続／切離頻度が少ないと予測される複数の端子を横一列に並置することにより、ケーブルの接続／切離頻度が少ないと予測される複数の端子に影響されることなくユーザによるケーブルの接続／切離を容易に行うことができる薄型テレビを提供することにある。
【００１０】
また、他の目的は第１の端子群は、Ｄ端子と、三系統のＲＣＡピン−ビデオ入力端子と、Ｓ端子とを有し、第２の端子群は、アナログチューナ端子と、デジタルチューナ端子と、ＤＶＩ端子と、ＨＤＭＩ端子と、ｉ−ＬＩＮＫ端子とを有する構成とすることにより、アナログ映像を視聴するユーザによるケーブルの接続／切離を容易に行うことができる薄型テレビを提供することにある。
【００１１】
また、他の目的はＤ端子と、三系統のＲＣＡピン−ビデオ入力端子と、Ｓ端子とを、この順序で上側から並置することにより、端子の上下位置を覚え易く、ユーザによるケーブルの接続／切離をより一層容易に行うことができる薄型テレビを提供することにある。
【００１２】
また、他の目的は第１の端子群は、ｉ−ＬＩＮＫ端子と、ＨＤＭＩ端子と、ＤＶＩ端子と、デジタルチューナ端子とを有し、第２の端子は、アナログチューナ端子と、Ｄ端子と、三系統のＲＣＡピン−ビデオ入力端子と、Ｓ端子とを有する構成とすることにより、デジタル映像を視聴するユーザによるケーブルの接続／切離を容易に行うことができる薄型テレビを提供することにある。
【００１３】
また、他の目的はｉ−ＬＩＮＫ端子と、ＨＤＭＩ端子と、ＤＶＩ端子と、デジタルチューナ端子とを、この順序で上側から並置することにより、端子の上下位置を覚え易く、ユーザによるケーブルの接続／切離をより一層容易に行うことができる薄型テレビを提供することにある。
【００１４】
また、他の目的は第１の端子群は、一系統のＲＣＡピン−ビデオ入力端子と、Ｓ端子と、ｉ−ＬＩＮＫ端子と、ＨＤＭＩ端子と、ＤＶＩ端子とを有し、前記第２の端子群は、デジタルチューナ端子と、アナログチューナ端子と、Ｄ端子と、二系統のＲＣＡピン−ビデオ入力端子とを有する構成とすることにより、アナログ映像、デジタル映像を視聴するユーザによるケーブルの接続／切離を容易に行うことができる薄型テレビを提供することにある。
【００１５】
また、他の目的は一系統のＲＣＡピン−ビデオ入力端子と、Ｓ端子と、ｉ−ＬＩＮＫ端子と、ＨＤＭＩ端子と、ＤＶＩ端子とを、この順序で上側から並置することにより、端子の上下位置を覚え易く、ユーザによるケーブルの接続／切離をより一層容易に行うことができる薄型テレビを提供することにある。
【００１６】
また、他の目的は第１の端子群の最上位置に配されるＵＳＢ端子を有する構成とすることにより、薄型テレビにＵＳＢ機器を接続することができ、しかも、ＵＳＢ端子の上下位置を覚え易く、ユーザによるケーブルの接続／切離を容易に行うことができる薄型テレビを提供することにある。
【課題を解決するための手段】
【００１７】
本発明に係る薄型テレビは、前面に表示パネルを有する薄型テレビ本体の後面に、ケーブルが接続／切離される複数の端子を設けてある薄型テレビにおいて、第１の端子群を縦一列に、且つ横方向への接続／切離を可能に並置してあり、第２の端子群を横一列に、且つ上下方向への接続／切離を可能に並置してあることを特徴とする。
【００１８】
この発明にあっては、端子を第１及び第２の端子群に分けて、第１の端子群を縦一列に、且つ横方向への接続／切離を可能に並置し、第２の端子群を横一列に、且つ上下方向への接続／切離を可能に並置してあるため、薄型テレビの薄型化に支障を来すことなく、ユーザによるケーブルの接続／切離を容易に行うことができる。
【００１９】
また、本発明に係る薄型テレビは、前記第１の端子群は、前記ケーブルの接続／切離頻度が多いと予測される複数の端子を有し、前記第２の端子群は、前記ケーブルの接続／切離頻度が少ないと予測される複数の端子を有することを特徴とする。
【００２０】
この発明にあっては、ケーブルの接続／切離頻度が多いと予測される複数の端子が縦一列に並置してあるため、ケーブルの接続／切離頻度が少ないと予測される複数の端子に影響されることなくユーザによるケーブルの接続／切離を容易に行うことができる。
【００２１】
また、本発明に係る薄型テレビは、前記第１の端子群は、Ｄ端子と、三系統のＲＣＡピン−ビデオ入力端子と、Ｓ端子とを有し、前記第２の端子群は、アナログチューナ端子と、デジタルチューナ端子と、ＤＶＩ端子と、ＨＤＭＩ端子と、ｉ−ＬＩＮＫ端子とを有することを特徴とする。
【００２２】
この発明にあっては、アナログ映像を表示する頻度が多い機器用の端子が縦一列に並置されているため、アナログ映像を視聴するユーザによるケーブルの接続／切離を容易に行うことができる。
【００２３】
また、本発明に係る薄型テレビは、前記Ｄ端子と、三系統のＲＣＡピン−ビデオ入力端子と、Ｓ端子とは、この順序で上側から並置してあることを特徴とする。
【００２４】
この発明にあっては、ユーザによるケーブルの接続／切離頻度が多いと予測される端子の順で上側から並置してあるため、端子の上下位置を覚え易く、ユーザによるケーブルの接続／切離をより一層容易に行うことができる。
【００２５】
また、本発明に係る薄型テレビは、前記第１の端子群は、ｉ−ＬＩＮＫ端子と、ＨＤＭＩ端子と、ＤＶＩ端子と、デジタルチューナ端子とを有し、前記第２の端子は、アナログチューナ端子と、Ｄ端子と、三系統のＲＣＡピン−ビデオ入力端子と、Ｓ端子とを有することを特徴とする。
【００２６】
この発明にあっては、デジタル映像を表示する頻度が多い機器用の端子が縦一列に並置されているため、デジタル映像を視聴するユーザによるケーブルの接続／切離を容易に行うことができる。
【００２７】
また、本発明に係る薄型テレビは、前記ｉ−ＬＩＮＫ端子と、ＨＤＭＩ端子と、ＤＶＩ端子と、デジタルチューナ端子とは、この順序で上側から並置してあることを特徴とする。
【００２８】
この発明にあっては、ユーザによるケーブルの接続／切離頻度が多いと予測される端子の順で上側から並置してあるため、端子の上下位置を覚え易く、ユーザによるケーブルの接続／切離をより一層容易に行うことができる。
【００２９】
また、本発明に係る薄型テレビは、前記第１の端子群は、一系統のＲＣＡピン−ビデオ入力端子と、Ｓ端子と、ｉ−ＬＩＮＫ端子と、ＨＤＭＩ端子と、ＤＶＩ端子とを有し、前記第２の端子群は、デジタルチューナ端子と、アナログチューナ端子と、Ｄ端子と、二系統のＲＣＡピン−ビデオ入力端子とを有することを特徴とする。
【００３０】
この発明にあっては、アナログ映像及びデジタル映像の両方を表示する頻度が多い機器用の端子が縦一列に並置されているため、アナログ映像、デジタル映像を視聴するユーザによるケーブルの接続／切離を容易に行うことができる。
【００３１】
また、本発明に係る薄型テレビは、前記一系統のＲＣＡピン−ビデオ入力端子と、Ｓ端子と、ｉ−ＬＩＮＫ端子と、ＨＤＭＩ端子と、ＤＶＩ端子とは、この順序で上側から並置してあることを特徴とする。
【００３２】
この発明にあっては、ユーザによるケーブルの接続／切離頻度が多いと予測される端子の順で上側から並置してあるため、端子の上下位置を覚え易く、ユーザによるケーブルの接続／切離をより一層容易に行うことができる。
【００３３】
また、本発明に係る薄型テレビは、前記第１の端子群は最上位置に配されるＵＳＢ端子を有することを特徴とする。
【００３４】
この発明にあっては、薄型テレビにＵＳＢ機器を接続することができ、しかも、ＵＳＢ端子は最上位置に配してあるため、ＵＳＢ端子の上下位置を覚え易く、ユーザによるケーブルの接続／切離を容易に行うことができる。
【発明の効果】
【００３５】
以上詳述したように本発明によれば、上下高さより横方向長さが長い薄型テレビの薄型化に支障を来すことなく、ユーザによるケーブルの接続／切離を容易に行うことができる。
【００３６】
この発明によれば、ケーブルの接続／切離頻度が少ないと予測される複数の端子に影響されることなくユーザによるケーブルの接続／切離を容易に行うことができる。
【００３７】
また、本発明によれば、アナログ映像を表示する頻度が多い機器用の端子が縦一列に並置されているため、アナログ映像を視聴するユーザによるケーブルの接続／切離を容易に行うことができる。
【００３８】
また、本発明によれば、端子の上下位置を覚え易く、ユーザによるケーブルの接続／切離をより一層容易に行うことができる。
【００３９】
また、本発明によれば、デジタル映像を表示する頻度が多い機器用の端子が縦一列に並置されているため、デジタル映像を視聴するユーザによるケーブルの接続／切離を容易に行うことができる。
【００４０】
また、本発明によれば、アナログ映像、デジタル映像を視聴するユーザによるケーブルの接続／切離を容易に行うことができる。
【００４１】
また、本発明によれば、薄型テレビにＵＳＢ機器を接続することができ、しかも、ＵＳＢ端子の上下位置を覚え易く、ユーザによるケーブルの接続／切離を容易に行うことができる。
【発明を実施するための最良の形態】
【００４２】
以下本発明をその実施の形態を示す図面に基づいて詳述する。図１は本発明に係る薄型テレビの構成を示す後側の模式的斜視図、図２は薄型テレビの並置された端子とケーブルとの関係を示す説明図である。
【００４３】
図示した薄型テレビは、前面に表示パネル１１を有し、後側に該表示パネル１１へ光を照射するバックライト部１２を有する薄型テレビ本体１の後面１ａの一側部に、ユーザによるケーブルＣの接続／切離頻度が多いと予測される複数の端子を有する第１の端子群Ａを縦一列に並置し、後面の下部にユーザによる接続／切離が殆どなく、保守点検時に接続／切離される程度でケーブルＣの接続／切離頻度が少ないと予測される複数の端子を有する第２の端子群Ｂを横一列に並置してあり、薄型テレビ本体１を支持するスタンド２を備える液晶テレビである。
【００４４】
表示パネル１１は、略直方体をなすパネル本体、及び該パネル本体の後側に配された拡散板等の光学シートを有する。バックライト部１２は、前記光学シートの後側に縦に並置され、該光学シート側へ光を照射する複数本のランプと、該ランプを収容支持する筺体１２ａとを有する。前記ランプは両端部に電極を有する冷陰極管であり、夫々のランプの両端部の電極にインバータ回路基板が接続され、パルス幅変調信号により明るさが制御されるように構成されている。また、筺体１２ａは略直方体をなす枠部と、該枠部の後側端を閉塞する蓋板とを有し、該蓋板が薄型テレビ本体１の後面１ａになっている。
【００４５】
後面１ａには図示していないが表示パネル１１の駆動及び制御を行う制御回路基板、表示パネル１１に表示する映像を処理させるメイン回路基板、該メイン回路基板に電圧を供給する電源回路基板等の複数の回路基板が並設されており、これらの回路基板及び前記インバータ回路基板に第１及び第２の端子群Ａ，Ｂの端子が接続されている。
【００４６】
第１の端子群Ａはアナログ映像を表示する頻度が多い薄型テレビにおいて、Ｄ端子２ａと、三系統のＲＣＡピン−ビデオ入力端子２ｂ，２ｃ，２ｄと、Ｓ端子２ｅ等とを有し、この順序で縦一列、且つケーブルＣを薄型テレビ本体１の一側方から横方向へ接続／切離することができるように並置してある。ＲＣＡピン−ビデオ入力端子２ｂ，２ｃ，２ｄは、映像用のピンと、左右音声用の二つのピンとが並設された構成になっており、比較的広幅に形成されている。尚、Ｄ端子２ａは、デジタルチューナとテレビとを結ぶデジタル放送映像用であり、ＲＣＡピン−ビデオ入力端子２ｂ，２ｃ，２ｄは、外部機器のビデオ出力信号を取り込むものであり、Ｓ端子２ｅは、輝度信号と色信号とを分離して電送することにより相互の干渉による映像劣化を抑えたＳビデオ信号を入出力するものである。
【００４７】
第２の端子群Ｂはアナログ映像を表示する頻度が多い薄型テレビにおいて、アナログチューナ端子２ｆと、デジタルチューナ端子２ｇと、ＤＶＩ端子２ｈと、ＨＤＭＩ端子２ｉと、ｉ−ＬＩＮＫ端子２ｊとを有し、この順序で横一列、且つケーブルＣを薄型テレビ本体１の下方から上下方向へ接続／切離することができるように並置してある。尚、アナログチューナ端子２ｆは、アナログ放送の映像を受信するものであり、デジタルチューナ端子２ｇは、デジタル放送の映像を受信するものであり、ＤＶＩ端子２ｈは、パーソナルコンピュータ等の外部機器を接続するためのものであり、ＨＤＭＩ端子２ｉは、デジタル映像及び音声を取り込むためのものであり、ｉ−ＬＩＮＫ端子２ｊは、デジタル放送を取り込むためのものである。
【００４８】
ケーブルＣは外部機器、アンテナ等の機器に一端が接続されており、前記端子に対応するレセプタクル等の接続部が他端に設けられており、該接続部が第１及び第２の端子群Ａ，Ｂの端子に接続／切離されるように構成されている。
【００４９】
以上のように構成された薄型テレビは、アナログ映像を表示する頻度が多い場合に、ユーザによるケーブルＣの接続／切離を容易に行うことができるように構成されている。この薄型テレビにあっては、三系統のＲＣＡピン−ビデオ入力端子２ｂ，２ｃ，２ｄを含む端子が縦一列及び横一列に並置されているため、薄型テレビの薄型化を図ることができ、また、第１の端子群Ａは薄型テレビ本体１の一側方で横方向に接続／切離することができ、第２の端子群Ｂは薄型テレビ本体１の下方で上下方向に接続／切離することができるように構成されているため、ケーブルＣに支障を来すことなく薄型テレビを壁寄せすることができる。
【００５０】
しかも、ユーザによるケーブルＣの接続／切離頻度が多いと予測されるＤ端子２ａと、三系統のＲＣＡピン−ビデオ入力端子２ｂ，２ｃ，２ｄと、Ｓ端子２ｅとを、この順序で上側から縦一列に並置してあるため、外部機器等に一端が接続されているケーブルＣを、薄型テレビ本体１の一側方で横方向に接続／切離することができ、このケーブルＣの接続／切離を容易に行うことができる。
【００５１】
また、ユーザによるケーブルＣの接続／切離頻度が少ないと予測されるアナログチューナ端子２ｆと、デジタルチューナ端子２ｇと、ＤＶＩ端子２ｈと、ＨＤＭＩ端子２ｉと、ｉ−ＬＩＮＫ端子２ｊとを、この順序で横一列に並置してあるため、保守点検時等、第１の端子群Ａに邪魔されることなく、また、薄型テレビが起立している状態でケーブルＣを上下方向に接続／切離することができる。
【００５２】
図３は薄型テレビの並置された端子とケーブルＣとの他の関係を示す説明図である。この薄型テレビは、デジタル映像を表示する頻度が多い薄型テレビにおいて、ユーザによるケーブルＣの接続／切離を容易に行うことができるように構成されている。
【００５３】
第１の端子群Ａはデジタル映像を表示する頻度が多い薄型テレビにおいて、ｉ−ＬＩＮＫ端子２ｊと、ＨＤＭＩ端子２ｉと、ＤＶＩ端子２ｈと、デジタルチューナ端子２ｇとを有し、この順序で縦一列、且つケーブルＣを薄型テレビ本体１の一側方から横方向へ接続／切離することができるように並置してある。
【００５４】
第２の端子群Ｂは、デジタル映像を表示する頻度が多い薄型テレビにおいて、アナログチューナ端子２ｆと、Ｄ端子２ａと、三系統のＲＣＡピン−ビデオ入力端子２ｂ，２ｃ，２ｄと、Ｓ端子２ｅとを有し、この順序で横一列、且つケーブルＣを薄型テレビ本体１の下方から上下方向へ接続／切離することができるように並置してある。
【００５５】
この薄型テレビにあっては、図２と同様、第１及び第２の端子群Ａ，Ｂの端子が縦一列及び横一列に並置されているため、薄型テレビの薄型化を図ることができ、また、第１の端子群Ａは薄型テレビ本体１の一側方で横方向に接続／切離することができ、第２の端子群Ｂは薄型テレビ本体１の下方で上下方向に接続／切離することができるように構成されているため、ケーブルＣに支障を来すことなく薄型テレビを壁寄せすることができる。
【００５６】
しかも、ユーザによるケーブルＣの接続／切離頻度が多いと予測されるデジタル用のｉ−ＬＩＮＫ端子２ｊと、ＨＤＭＩ端子２ｉと、ＤＶＩ端子２ｈと、デジタルチューナ端子２ｇとを、この順序で上側から縦に並置してあるため、外部機器等に一端が接続されているケーブルＣを、薄型テレビ本体１の一側方で横方向に接続／切離することができ、このケーブルＣの接続／切離を容易に行うことができる。
【００５７】
また、ユーザによるケーブルＣの接続／切離頻度が少ないと予測されるアナログチューナ端子２ｆと、Ｄ端子２ａと、三系統のＲＣＡピン−ビデオ入力端子２ｂ，２ｃ，２ｄと、Ｓ端子２ｅとを、この順序で横一列に並置してあるため、保守点検時等、第１の端子群Ａに邪魔されることなく、また、薄型テレビが起立している状態でケーブルＣを上下方向に接続／切離することができる。
その他の構成及び作用は図１、図２に示した実施の形態と同様であるため、同様の部品については同じ符号を付し、その詳細な説明及び作用効果の説明を省略する。
【００５８】
図４は薄型テレビの並置された端子とケーブルＣとの他の関係を示す説明図である。この薄型テレビは、アナログ映像及びデジタル映像の両方を表示する頻度が多い薄型テレビにおいて、ユーザによるケーブルＣの接続／切離を容易に行うことができるように構成されている。
【００５９】
第１の端子群Ａはアナログ映像及びデジタル映像の両方を表示する頻度が多い薄型テレビにおいて、一系統のＲＣＡピン−ビデオ入力端子２ｂと、Ｓ端子２ｅと、ｉ−ＬＩＮＫ端子２ｊと、ＨＤＭＩ端子２ｉと、ＤＶＩ端子２ｈとを有し、この順序で縦一列、且つケーブルＣを薄型テレビ本体１の一側方から横方向へ接続／切離することができるように並置してある。
【００６０】
第２の端子群Ｂはアナログ映像及びデジタル映像の両方を表示する頻度が多い薄型テレビにおいて、デジタルチューナ端子２ｇと、アナログチューナ端子２ｆと、Ｄ端子２ａと、二系統のＲＣＡピン−ビデオ入力端子２ｃ，２ｄとを有し、この順序で横一列、且つケーブルＣを薄型テレビ本体１の下方から上下方向へ接続／切離することができるように並置してある。
【００６１】
この薄型テレビにあっては、アナログ用及びデジタル用の端子が縦一列及び横一列に並置されているため、薄型テレビの薄型化を図ることができ、また、第１の端子群Ａは薄型テレビ本体１の一側方で横方向に接続／切離することができ、第２の端子群Ｂは薄型テレビ本体１の下方で上下方向に接続／切離することができるように構成されているため、ケーブルＣに支障を来すことなく薄型テレビを壁寄せすることができる。
【００６２】
しかも、アナログ映像及びデジタル映像の両方を表示する頻度が多い薄型テレビにおいて、ユーザによるケーブルＣの接続／切離頻度が多いと予測されるアナログ用の一系統のＲＣＡピン−ビデオ入力端子２ｂ及びＳ端子２ｅと、デジタル用のｉ−ＬＩＮＫ端子２ｊ、ＨＤＭＩ端子２ｉ及びＤＶＩ端子２ｈとを、この順序で上側から縦に並置してあるため、外部機器等に一端が接続されているケーブルＣを、薄型テレビ本体１の一側方で横方向に接続／切離することができ、このケーブルＣの接続／切離を容易に行うことができる。
【００６３】
また、ユーザによるケーブルＣの接続／切離頻度が少ないと予測されるデジタルチューナ端子２ｇと、アナログチューナ端子２ｆと、Ｄ端子２ａと、二系統のＲＣＡピン−ビデオ入力端子２ｃ，２ｄとを、この順序で横一列に並置してあるため、保守点検時等、第１の端子群Ａに邪魔されることなく、また、薄型テレビが起立している状態でケーブルＣを上下方向に接続／切離することができる。
その他の構成及び作用は図１〜図３に示した実施の形態と同様であるため、同様の部品については同じ符号を付し、その詳細な説明及び作用効果の説明を省略する。
【００６４】
図５は薄型テレビの並置された端子とケーブルＣとの他の関係を示す説明図である。この薄型テレビは、図３に示す第１の端子群Ａの端子に加えて、ＵＳＢ機器を接続するためのＵＳＢ（ユニバーサルシリアルバス）端子２ｋを備え、該ＵＳＢ端子２ｋを第１の端子群Ａの最上位置に配したものである。
【００６５】
この薄型テレビにあっては、ＵＳＢ機器を接続することができ、また、ＵＳＢ端子２ｋは最上位置に配してあるため、ＵＳＢ端子２ｋの上下位置を覚え易く、ユーザによるケーブルＣの接続／切離を容易に行うことができる。
その他の構成及び作用は図１〜図４に示した実施の形態と同様であるため、同様の部品については同じ符号を付し、その詳細な説明及び作用効果の説明を省略する。
【００６６】
尚、本発明に係る薄型テレビは上下高さより横方向長さが長い薄型テレビ本体を備える構成である他、上下高さより横方向長さが短い薄型テレビ本体を備える構成であってもよい。
また、本発明に係る薄型テレビは液晶テレビ等の液晶表示装置である他、プラズマ表示装置、ＥＬディスプレイ等の表示装置であってもよい。
【図面の簡単な説明】
【００６７】
【図１】本発明に係る薄型テレビの構成を示す後側の模式的斜視図である。
【図２】本発明に係る薄型テレビの並置された端子とケーブルとの関係を示す説明図である。
【図３】本発明に係る薄型テレビの並置された端子とケーブルとの他の関係を示す説明図である。
【図４】本発明に係る薄型テレビの並置された端子とケーブルとの他の関係を示す説明図である。
【図５】本発明に係る薄型テレビの並置された端子とケーブルとの他の関係を示す説明図である。
【符号の説明】
【００６８】
１    薄型テレビ本体
１１  表示パネル
Ａ    第１の端子群
Ｂ    第２の端子群
２ａ  Ｄ端子
２ｂ，２ｃ，２ｄ  ＲＣＡピン−ビデオ入力端子
２ｅ  Ｓ端子
２ｆ  アナログチューナ端子
２ｇ  デジタルチューナ端子
２ｈ  ＤＶＩ端子
２ｉ  ＨＤＭＩ端子
２ｊ  ｉ−ＬＩＮＫ端子
２ｋ  ＵＳＢ端子
Ｃ    ケーブル
【図１】
2008085660.tif 000003
【図２】
2008085660.tif 000004
【図３】
2008085660.tif 000005
【図４】
2008085660.tif 000006
【図５】
2008085660.tif 000007